(57)【要約】【課題】機能、用途及び属性等が異なる端末装置のそれぞれにおいて異なる情報を提示できる端末装置、放送音形成装置、及び情報提示システムを提供する。【解決手段】情報提示システム１は、放送音に含まれる識別情報に基づいて情報を提示する。情報提示システム１は、識別情報を含む放送音を放送する放送装置２と、空間内に配置され得る複数の端末装置３Ａ，３Ｂとを含む。第１の端末装置３Ａは、放送装置２から放送された放送音に含まれる識別情報に基づいて、放送音の識別情報に関連する第１の関連情報を提示する。第２の端末装置３Ｂは、放送装置２から放送された放送音に含まれる識別情報に基づいて、放送音の識別情報に関連する第２の関連情報を提示する。第１の関連情報は、第２の関連情報とは異なる態様の情報である。【選択図】図１
2019129522.tif 000002
【特許請求の範囲】
【請求項１】
放送音に含まれる識別情報に基づいて情報を提示する情報提示システムにおいて、
前記識別情報を含む前記放送音を放送する放送装置と、空間内に配置され得る複数の端末装置とを含み、
第１の前記端末装置は、前記放送装置から放送された放送音に含まれる識別情報に基づいて、前記放送音の前記識別情報に関連する第１の関連情報を提示し、
第２の前記端末装置は、前記放送装置から放送された放送音に含まれる識別情報に基づいて、前記放送音の前記識別情報に関連する第２の関連情報を提示し、
前記第１の関連情報は、前記第２の関連情報とは異なる態様の情報である
ことを特徴とする情報提示システム。
【請求項２】
前記端末装置は、前記端末装置の用途、機能、属性、前記端末装置にインストールされている前記識別情報の関連情報を提示する情報提示アプリケーション、並びに前記端末装置の所有者若しくは管理者の情報の少なくとも１つによって異なるテーブルであってかつ前記識別情報と前記関連情報とを関連付けるテーブルを有する
請求項１に記載の情報提示システム。
【請求項３】
前記放送装置は、前記識別情報を放送形態によって特定される放送音の帯域幅内に埋め込む放送音形成装置と、前記放送音形成装置に接続されるスピーカーとを備え、
前記放送音形成装置と前記スピーカーとはハイインピーダンス方式で接続される
請求項１または２に記載の情報提示システム。
【請求項４】
前記放送装置は、防災無線システムを含み、
前記放送音の帯域幅は、前記防災無線システムに繋がるスピーカーから放送される放送音の帯域幅である
請求項１〜３のいずれか一項に記載の情報提示システム。
【請求項５】
前記放送装置は、放送受信機を含み、
前記放送音の帯域幅は、前記放送受信機に備わるスピーカーまたは前記放送受信機に接続されたスピーカーから放送される放送音の帯域幅である
請求項１〜４のいずれか一項に記載の情報提示システム。
【請求項６】
放送形態によって特定される放送音を形成する放送音形成装置であって、
状況及び各種のサービスを表す種類情報と識別情報とを関連付けしたテーブルを有し、
前記放送音の帯域幅内に識別情報を埋め込む
放送音形成装置。
【請求項７】
前記種類情報に関連する情報を取得するとき、前記放送音の帯域幅内に前記種類情報に関連付けされた前記識別情報を埋め込むことにより、前記放送音を形成する
請求項６に記載の放送音形成装置。
【請求項８】
マイクを備える端末装置であって、
前記端末装置の用途、機能、属性、インストールされているアプリケーション、前記端末装置の所有者若しくは管理者と対応付けられた特定情報により特定されるテーブルであって、放送音に含まれる識別情報と前記識別情報に関連する関連情報とを関連付けるテーブルを有し、
前記放送音から前記識別情報を抽出し、前記テーブルを参照し、抽出された前記識別情報に関連付けされた前記関連情報を提示する
端末装置。
【発明の詳細な説明】
【技術分野】
【０００１】
本発明は、音を介して情報提示可能な端末装置、放送音形成装置、及び情報提示システムに関する。
【背景技術】
【０００２】
放送音により端末装置に情報を取得させるシステムとして、特許文献１に記載の技術が知られている。
特許文献１に記載の技術では、情報提示システムは、識別情報が含まれる放送音を出力することにより、携帯電話機やスマートフォン等の端末装置に、識別情報を伝える。端末装置は、インターネット等を介して情報提示システムと通信し、識別情報に関連する情報を取得する。
【先行技術文献】
【特許文献】
【０００３】
【特許文献１】特許第５８７１０８８号公報
【発明の概要】
【発明が解決しようとする課題】
【０００４】
ところで、非常放送のように、公衆に広く、早く情報を伝達したい場合がある。このような情報は、様々な形態で情報が伝達されることが好ましい。そこで、機能、用途、及び属性等が異なる端末装置のそれぞれにおいて異なる情報を提示できる端末装置、放送音形成装置、及び情報提示システムを提供する。
【課題を解決するための手段】
【０００５】
（１）上記課題を解決する情報提示システムは、放送音に含まれる識別情報に基づいて情報を提示する情報提示システムにおいて、前記識別情報を含む前記放送音を放送する放送装置と、空間内に配置され得る複数の端末装置とを含み、第１の前記端末装置は、前記放送装置から放送された放送音に含まれる識別情報に基づいて、前記放送音の前記識別情報に関連する第１の関連情報を提示し、第２の前記端末装置は、前記放送装置から放送された放送音に含まれる識別情報に基づいて、前記放送音の前記識別情報に関連する第２の関連情報を提示し、前記第１の関連情報は、前記第２の関連情報とは異なる態様の情報である。この構成によれば、異なる端末装置それぞれで、異なる情報が提示されるため、人は、様々な態様で情報を得ることができる。
【０００６】
（２）上記情報提示システムにおいて、前記端末装置は、前記端末装置の用途、機能、属性、前記端末装置にインストールされている前記識別情報の関連情報を提示する情報提示アプリケーション、並びに前記端末装置の所有者若しくは管理者の情報の少なくとも１つによって異なるテーブルであってかつ前記識別情報と前記関連情報とを関連付けるテーブルを有する。この構成によれば、端末装置は、識別情報から簡単に関連情報を取得できる。
【０００７】
（３）上記情報提示システムにおいて、前記放送装置は、前記識別情報を放送形態によって特定される放送音の帯域幅内に埋め込む放送音形成装置と、前記放送音形成装置に接続されるスピーカーとを備え、前記放送音形成装置と前記スピーカーとはハイインピーダンス方式で接続される。この構成によれば、放送音の帯域幅よりも高い周波数帯域に識別情報を埋め込む放送音形成装置とスピーカーとがハイインピーダンス方式で接続されるシステムに比べて、スピーカーの構造及び放送音形成装置の構造を簡略化できる。ここで、放送形態によって特定される放送音とは、放送に用いられる機器、伝送形態によって、最終的にスピーカーから音声として出力される放送音のことである。識別情報を埋め込む帯域において、識別情報は、放送形態によって特定される放送音の帯域幅内に一部でも含まれていればよく、受音側で識別情報の抽出が可能であればよい。
【０００８】
（４）上記情報提示システムにおいて、前記放送装置は、防災無線システムを含み、前記放送音の帯域幅は、前記防災無線システムに繋がるスピーカーから放送される放送音の帯域幅である。この構成によれば、防災無線システムを介して複数の端末装置に識別情報を伝達できる。
【０００９】
（５）上記情報提示システムにおいて、前記放送装置は、放送受信機を含み、前記放送音の帯域幅は、前記放送受信機に備わるスピーカーまたは前記放送受信機に接続されたスピーカーから放送される放送音の帯域幅である。この構成によれば、防災ラジオを介して複数の端末装置に識別情報を伝達できる。
【００１０】
（６）上記課題を解決する放送音形成装置は、放送形態によって特定される放送音を形成する放送音形成装置であって、状況及び各種のサービスを表す種類情報と識別情報とを関連付けしたテーブルを有し、前記放送音の帯域幅内に識別情報を埋め込む。この構成によれば、種類情報に関連する識別情報が埋め込まれた放送音を形成できる。
【００１１】
（７）上記放送音形成装置は、前記種類情報に関連する情報を取得するとき、前記放送音の帯域幅内に前記種類情報に関連付けされた前記識別情報を埋め込むことにより、前記放送音を形成する。この構成によれば、識別情報が埋め込まれた放送音を自動的に形成できる。
【００１２】
（８）上記課題を解決する端末装置は、マイクを備える端末装置であって、前記端末装置の用途、機能、属性、インストールされているアプリケーション、前記端末装置の所有者若しくは管理者と対応付けられた特定情報により特定されるテーブルであって、放送音に含まれる識別情報と前記識別情報に関連する関連情報とを関連付けるテーブルを有し、前記放送音から前記識別情報を抽出し、前記テーブルを参照し、抽出された前記識別情報に関連付けされた前記関連情報を提示する。この構成によれば、端末装置は、テーブルを参照するため、迅速に識別情報に関連付けされた関連情報を提示できる。
【発明の効果】
【００１３】
上記端末装置及び情報提示システムによれば、異なる情報を提示できる。放送音形成装置は、端末装置に情報を伝達できる。
【図面の簡単な説明】
【００１４】
【図１】第１実施形態に係る情報提示システムの模式図。
【図２】第２実施形態に係る情報提示システムの模式図。
【図３】識別情報と種類情報との関係を示す識別情報テーブル。
【図４】端末装置の種類と端末用テーブルとを関連付けする管理テーブル。
【図５】スマートフォンが有する端末用テーブル。
【図６】サイネージが有する端末用テーブル。
【図７】スマートフォンが実行する設定処理のフローチャート。
【図８】サイネージが実行する設定処理のフローチャート。
【図９】スマートフォンが実行する情報取得処理のフローチャート。
【図１０】サイネージが実行する情報取得処理のフローチャート。
【図１１】第３実施形態に係る情報提示システムについて、放送装置が有する識別情報テーブル。
【図１２】第３実施形態に係る情報提示システムについて、情報管理装置が有する管理テーブル。
【図１３】第３実施形態に係る情報提示システムについて、端末装置が有する端末用テーブル。
【図１４】放送装置の変形例の模式図。
【図１５】放送装置の変形例の模式図。
【発明を実施するための形態】
【００１５】
＜第１実施形態＞
図１を参照して、情報提示システムについて説明する。
情報提示システム１は、放送音に含まれる識別情報ＩＤに基づいて情報を提示する。
【００１６】
情報提示システム１は、識別情報ＩＤを含む放送音を放送する放送装置２と、空間内に配置され得る複数の端末装置３とを含む。放送装置２は、識別情報ＩＤを記憶する。好ましくは、放送装置２は、後述の種類情報ＩＣに関連付けて識別情報ＩＤを記憶する。
【００１７】
放送装置２のスピーカー１１は、天井または壁に設置される。例えば、駅内の通路、駅のホーム、イベント会場、宴会場、コンサートホール、学校、ビル、運動場、等に設置され得る。駅内の通路等の公共空間においては、公共空間に１または複数のスピーカー１１が設置される。学校またはビルにおいては、複数の部屋それぞれに１または複数のスピーカー１１が設置される。放送音は、複数の人及び物（マイクを有する物）に伝達される。
【００１８】
識別情報ＩＤは、様々な状況、各種のサービス等を表す情報（以下、種類情報ＩＣ）毎に付与される情報である。識別情報ＩＤは予め設定されている。例えば、各種の災害（状況の例）について個別に識別情報ＩＤが設定される。各種の事故（状況の例）について個別に識別情報ＩＤが設定される。また、各種のサービスについて識別情報ＩＤが設定される。また、電車の遅延や自動車の渋滞（状況の例）について識別情報ＩＤが設定される。このうち災害に関する識別情報ＩＤは、国内または世界中で標準化されてもよい。災害の情報は、世界中のどこにいても必要とされるからである。
【００１９】
識別情報ＩＤは、識別情報ＩＤに対応する状況が生じたときに、音声信号に埋め込まれる。例えば、災害や事故等の非常事態が生じたとき、人に詳しい情報を知らせるために、公共空間に放送される放送音の音声信号に識別情報ＩＤが埋め込まれる。また、来店客にサービス情報を知らせるために、店舗に放送される放送音の音声信号に識別情報ＩＤが埋め込まれる。
【００２０】
放送装置２は、識別情報ＩＤを含む放送音を出力する。放送装置２は、電子透かし法により、放送音の元の音声信号に識別情報ＩＤを埋め込む。識別情報ＩＤは、放送音の帯域幅内に埋め込まれる。放送音の帯域とは、放送システムにおいてスピーカー１１から出力する音について、予め設定されている音声周波数帯域幅を示す。各種の放送システムにおいて、放送音の帯域幅が予め設定されており、帯域幅から外れたところに識別情報ＩＤを埋め込まれると、識別情報ＩＤが伝達され難くなるからである。好ましくは、識別情報ＩＤは、放送音の可聴帯域内に埋め込まれる。
【００２１】
電子透かし法として、例えば、エコー拡散、スペクトラム拡散が挙げられる。好ましくは、放送装置２は、エコー拡散で、放送音の可聴帯域内に識別情報ＩＤを埋め込む。なお、放送装置２は、スペクトラム拡散により放送音の非可聴帯域（可聴帯域よりも周波数が高い領域）に識別情報ＩＤを埋め込み得る。可聴帯域とは、２０Ｈｚ以上２０，０００Ｈｚ以下の帯域である。
【００２２】
放送装置２は、放送音形成装置１０と、放送音形成装置１０に接続されるスピーカー１１とを備える。放送音形成装置１０は、放送形態によって特定される帯域の放送音を形成する。放送形態によって特定される帯域は、各種の放送システム（例えば、防災放送等）によって設定されている。
【００２３】
放送音形成装置１０とスピーカー１１とはハイインピーダンス方式で接続される。好ましくは、放送音形成装置１０とスピーカー１１との間のインピーダンスは、１００Ω以上とされる。また、好ましくは、放送音形成装置１０とスピーカー１１との間のインピーダンスは、２０ｋΩ以下とされる。
【００２４】
端末装置３は、放送音を受信するマイク６を有し、また、情報を提示する提示手段を有する。端末装置３として、例えば、スマートフォン２１、携帯電話、マイク付きのサイネージ２３、マイク付きのテレビ、マイク付きのパーソナルコンピュータ、マイク付きのスピーカー（端末装置３としてのスピーカー）等が挙げられる。これら端末装置３は、情報を提示する手段として、表示部、音声出力部、等を有する。
【００２５】
端末装置３は、マイク６で受信した音声信号から識別情報ＩＤを抽出する。端末装置３は、識別情報ＩＤに関連する情報と識別情報ＩＤとが関係付けられたテーブル（以下、端末用テーブル）を有する。端末装置３は、抽出した識別情報ＩＤに関連する情報を表示部等で提示する。
【００２６】
識別情報ＩＤは、放送音を受信できる端末装置３に対して共通化されている。複数の端末装置３が同じ放送音を受信するときは、複数の端末装置３は、同じ識別情報ＩＤを抽出する。一方、端末装置３は、端末装置３の機能、用途、属性等に応じた端末用テーブルを有する。すなわち、端末装置３の機能、用途、属性等に対応する端末用テーブルがある。そして、識別情報ＩＤに関連付けされている情報は、端末装置３の機能、用途、属性等によって異なる。ここで、端末装置３の機能、用途、属性等とは、端末装置３の機能、用途、属性、端末装置３にインストールされている情報提示アプリケーションのタイプ、端末装置３の所有者または管理者の情報、である。
【００２７】
識別情報ＩＤを抽出する識別情報抽出プログラム及び端末装置３が有する端末用テーブルは、ＣＤやＳＤ等の記憶媒体またはインターネット４により提供される。例えば、スマートフォン２１の場合、インターネット４を介して情報提示アプリケーションが提供される。情報提示アプリケーションは、識別情報抽出プログラムとスマートフォン２１用の端末用テーブルとを含む。情報提示アプリケーションは、起動により、識別情報抽出プログラムを動作させる。したがって、スマートフォン２１のユーザーは、識別情報ＩＤが含まれる放送音（例えば、災害情報の放送）を聞いたときに、情報提示アプリケーションを起動させることで、放送音に含まれる識別情報ＩＤに関連する情報を得ることができる。
【００２８】
放送音が複数種類の端末装置３に受信される場合を説明する。
第１の端末装置３Ａは、第１の端末装置３Ａ自身が有する端末用テーブルを参照して、放送装置２から放送された放送音に含まれる識別情報ＩＤに基づいて、放送音の識別情報ＩＤに関連する第１の関連情報を提示する。第２の端末装置３Ｂは、第２の端末装置３Ｂ自身が有する端末用テーブルを参照して、放送装置２から放送された放送音に含まれる識別情報ＩＤに基づいて、放送音の識別情報ＩＤに関連する第２の関連情報を提示する。第１の関連情報は、第２の関連情報とは異なる態様の情報である。
【００２９】
例えば、スマートフォン２１とサイネージ２３とが同じ放送音を受信し、同じ識別情報ＩＤを抽出するとき、スマートフォン２１には、識別情報ＩＤに対応するスマートフォン２１用の関連情報が示され、サイネージ２３には、識別情報ＩＤに対応するサイネージ２３用の関連情報が表示される。このように、情報提示システム１によれば、複数種類の端末装置３に同時に情報を伝達できる。また、複数種類の端末装置３は、端末装置３の機能に応じた情報を提示できる。
【００３０】
本実施形態の作用を説明する。
複数の端末装置３は、識別情報ＩＤを含む放送音を受信する。複数の端末装置３は、識別情報ＩＤを取得すると、識別情報ＩＤに関連した情報であって端末装置３自体の機能用途属性等に応じた関連情報を提示する。したがって、複数の端末装置３が提示する情報は異なる。このように、複数の端末装置３は、端末装置３自体の機能用途属性等に応じた情報を提示する。これにより次のように複数の効果がある。
【００３１】
第１に、放送音を少しでも聞いた人は、放送音を受信することにより、放送音の識別情報ＩＤに関連して、各種の端末装置３から多様な情報を得ることが出来る。第２に、騒音等の影響で放送音が聴き取り難い場合でも、端末装置３を用いてその放送音に関する事項を確認できる。第３に、放送音の内容に関係なく放送音に繰り返して識別情報ＩＤを含ませることができるため、放送音の識別情報ＩＤに関連する情報を迅速に得ることができる。例えば、音声（識別情報ＩＤがない音声）またはテロップで災害情報が繰り返して放送される場合、関心のある情報がいつ報知されるかも予想が付き難い。この点、本実施形態によれば、放送音を受信することで放送音の識別情報ＩＤに関連する情報を得ることができるため、情報取得が簡単かつ情報提示を待つことなく情報を入手できる。第４に、スマートフォン２１では、文字入力して関連情報を検索できるが、文字入力が面倒であり、目的の情報が迅速に取得できないことがある。この点、端末装置３は、放送音を受信することにより、放送音の識別情報ＩＤに関連する情報を迅速に得ることができる。第５に、放送装置２は識別情報ＩＤを有し、端末装置３は予めテーブルを有しているため、通信不可である場合においても最小限の情報を提示できる。例えば、インターネット４を介する通信ができないとき、放送音の受信により、ユーザーは、地震発生等の情報を知ることができる。
【００３２】
本実施形態の効果を以下に説明する。
（１）情報提示システム１は、放送装置２と、空間内に配置され得る複数の端末装置３とを含む。第１の端末装置３Ａは、放送音に含まれる識別情報ＩＤに基づいて、放送音の識別情報ＩＤに関連する第１の関連情報を提示する。第２の端末装置３Ｂは、放送音に含まれる識別情報ＩＤに基づいて、放送音の識別情報ＩＤに関連する第２の関連情報を提示する。第１の関連情報は、第２の関連情報とは異なる態様の情報である。この構成によれば、異なる端末装置３Ａ，３Ｂそれぞれで、異なる情報が提示されるため、人は、様々な態様で情報を得ることができる。
【００３３】
（２）端末装置３は、端末装置３の機能用途属性等の少なくとも１つによって異なるテーブルを有し、テーブルは、識別情報ＩＤと関連情報とを関連付ける。この構成によれば、端末装置３は、識別情報ＩＤから簡単に関連情報を取得できる。
【００３４】
（３）テーブルの関連情報は、端末装置３の機能用途属性等によって異なる。この構成によれば、端末装置３は、端末装置３自体の機能用途属性等（機能、用途、属性、情報提示アプリケーションの種類、所有者か管理者化を示す情報）の少なくとも１つが異なることによって、異なる関連情報を提示できる。
【００３５】
（４）放送装置２は、放送音の帯域幅に識別情報ＩＤを埋め込む。そして、放送音形成装置１０とスピーカー１１とはハイインピーダンス方式で接続される。この構成によれば、放送音の帯域幅よりも高い周波数帯域に識別情報ＩＤを埋め込む放送音形成装置１０とスピーカー１１とを備えるシステムであってハイインピーダンス方式で接続されるシステム（以下、「参考システム」）に比べて、スピーカー１１の構造及び放送音形成装置１０の構造を簡略化できる。すなわち、放送音形成装置１０とスピーカー１１とをハイインピーダンス方式で接続する場合において、可聴帯域よりも高い周波数帯域に識別信号を埋める場合、当該識別信号を音として形成する場合に放送音形成装置１０に負荷がかかりかつスピーカー１１の構造を高周波対応の構造のものとする必要がある。この点において、上記構成によれば、放送音形成装置１０に負荷増大がなく、かつスピーカー１１の構造の複雑さを回避できる。
【００３６】
（５）放送音形成装置１０は、種類情報ＩＣと識別情報ＩＤとを関連付けしたテーブルを有する。そして、放送音形成装置１０は、放送音の帯域幅内に種類情報ＩＣに関連付けされた識別情報ＩＤを埋め込むことにより、放送音を形成する。この構成によれば、種類情報ＩＣに関連する識別情報ＩＤが埋め込まれた放送音を形成できる。
【００３７】
（６）放送音形成装置１０は、種類情報ＩＣに関連する情報を取得するとき、放送音の帯域幅内に種類情報ＩＣに関連付けされた識別情報ＩＤを埋め込むことにより、放送音を形成するように構成され得る。種類情報ＩＣに関連する情報を取得するときとは、例えば、放送音形成装置１０が、災害または火災の警報音またはインターネット４を介して自動的に送信されるアラートを受信するときである。各種の警報音及びアラートは、識別情報ＩＤに関連付けられている。この構成によれば、識別情報ＩＤが埋め込まれた放送音を自動的に形成できる。
【００３８】
（７）端末装置３は、マイク６を備える。端末装置３は、放送音に含まれる識別情報ＩＤと関連情報とを関連付ける端末用テーブルを有する。端末装置３は、放送音から識別情報ＩＤを抽出し、端末用テーブルを参照し、抽出された識別情報ＩＤに関連付けされた関連情報を提示する。この構成によれば、端末装置３は、端末用テーブルを参照するため、迅速に識別情報ＩＤに関連付けされた関連情報を提示できる。
【００３９】
＜第２実施形態＞
図２〜図１０を参照して、本実施形態に係る情報提示システム１について説明する。
情報提示システム１は、災害情報や緊急情報を人に伝えるシステムである。情報提示システム１は、例えば、駅のホームと繋がるビル（以下、「駅ビル」という。）に設置される。駅ビルには、スピーカー１１やサイネージ２３が配置される。スピーカー１１は、日常において、電車到着等のアナウンスのために使われる。サイネージ２３は、広告宣伝等に使われる。
【００４０】
図２に示されるように、情報提示システム１は、第１実施形態と同様に、放送装置２と、端末装置３とを備える。本実施形態において、第１の端末装置３Ａは、個人が使うスマートフォン２１である。第２の端末装置３Ｂは、マイク２４を有するサイネージ２３である。サイネージ２３のマイク２４は、サイネージ２３近くのスピーカー１１に向けられている。
【００４１】
放送装置２は、放送音形成装置１０と、放送音形成装置１０に接続されるスピーカー１１とを備える。スピーカー１１は、放送音形成装置１０から出力される信号を放送音として出力する。スピーカー１１は、駅ビルの天井、壁等に設置される。
【００４２】
放送音形成装置１０は、マイク１２で集音される音声信号または予め記憶部に記憶されている音声信号に、識別情報ＩＤを埋め込む。識別情報ＩＤは、放送音の帯域幅内に埋め込まれる。埋め込みのタイミングは、人の指令または自動指令に基づく。識別情報ＩＤが埋め込まれる音声信号は限定されない。例えば、人の音声、警報等の機械音、録音されたアナウンスや注意音等のいずれであってもよい。
【００４３】
図３に示されるように、識別情報ＩＤは、状況の種類情報ＩＣに関連付されている。本実施形態では、種類情報ＩＣは、災害及び緊急事態を分類する情報である。本実施形態では、種類情報ＩＣは、火事、地震、津波、停電、台風、テロ、ミサイル攻撃である。種類情報ＩＣと識別情報ＩＤとが関連付けされたテーブル（以下、「識別情報テーブル」）は、予め設定される。好ましくは、識別情報テーブルは、全国または世界中において標準化される。
【００４４】
災害が生じると、放送音形成装置１０は、自動指令により、または人の操作指令により、当該災害に対応する識別情報ＩＤをアナウンスの音声信号に埋め込む。これにより、駅ビル内の人々に、災害が音声で伝えられるとともに、人に所有された端末装置３及び駅ビルの設置されている端末装置３に識別情報ＩＤが伝えられる。なお、識別情報ＩＤは、音として伝播するが、上述のように、人には、聴き分けることはできない。
【００４５】
次に、端末装置３について説明する。
端末装置３は、放送音から識別情報ＩＤを抽出し、識別情報ＩＤに関連する関連情報を取得する。端末装置３は、識別情報ＩＤに関連する関連情報を提示する。
【００４６】
識別情報ＩＤを抽出するコンポーネント及び識別情報ＩＤに関連する関連情報を取得するコンポーネントは、端末装置３に予め設けられたり、通信または記憶媒体を介して端末装置３に提供されたりする。本実施形態では、これらのコンポーネントは、インターネット４を介して提供される。例えば、情報取得基本機能を備える情報提示アプリケーションは、インターネット４上のサーバで管理されている。スマートフォン２１やサイネージ２３には、情報提示アプリケーションがインストールされる。
【００４７】
端末装置３は、識別情報ＩＤに関連する関連情報を取得ときに参照するテーブル（以下、「端末用テーブル」）を記憶する。端末用テーブルは、機能が異なる端末装置３毎に異なる。端末用テーブルは、インターネット４上の情報管理装置５で管理されている。端末用テーブルは、情報管理装置５から端末装置３に提供される。
【００４８】
図４は、端末装置３と端末用テーブルとを関連付けするテーブル（以下、「管理テーブル」）である。情報管理装置５は、端末装置３毎に、端末用テーブルを用意している。情報管理装置５は、端末装置３からのアクセスがあるとき、管理テーブルを参照して、端末装置３に対応した端末用テーブルを当該端末装置３に提供する。
【００４９】
例えば、図４に示されるように、情報管理装置５には、スマートフォン２１用の端末用テーブルと、サイネージ２３用の端末用テーブルとが用意される。さらに、端末用テーブルは、スマートフォン２１で使用される標準言語毎に別々に用意されている。これにより、情報管理装置５は、スマートフォン２１を使用するユーザーが言語として理解可能な関連情報を提供できる。また、サイネージ２３においては、サイネージ２３の表示画面の大きさに応じて、別々の端末用テーブルが用意されている。これにより、情報管理装置５は、サイネージ２３の表示画面の大きさに応じた関連情報を提供できる。
【００５０】
このようにして、端末装置３は、端末装置３自体の機能、属性に応じた内容の関連情報を提示する。例えば、スマートフォン２１は、災害の種類（例えば、地震）とともに災害の詳細情報を有するサイトのＵＲＬ（Uniform Resource Locator）を表示する。サイネージ２３は、災害の種類（地震）及びその注意情報を複数の言語で表示する。例えば、サイネージ２３は、「地震発生」という内容を、日本語、英語、中国語で、表示する。
【００５１】
図５は、スマートフォン２１が有する端末用テーブルの一例である。この例では、スマートフォン２１の標準言語に日本語のテーブルが設定されている例である。例えば、スマートフォン２１が、識別情報ＩＤとして「００２」を抽出すると、スマートフォン２１の表示画面には、「地震」と表示されるとともに、日本語の関連リンク先が表示される。これにより、スマートフォン２１のユーザーは、放送音を聞き漏らしているときでも、何が生じているのかを直ぐに理解でき、詳細な情報を直ぐに得ることができる。
【００５２】
図６は、サイネージ２３が有する端末用テーブルの一例である。例えば、サイネージ２３が、識別情報ＩＤとして「００２」を抽出すると、サイネージ２３の表示画面には、「地震」が日本語、英語、中国語で表示される。このため、日本語を聴き取れない外国人でも、英語または中国語を理解できる場合、状況を直ぐに把握できる。
【００５３】
図７を参照して、スマートフォン２１の設定処理（初期設定）について説明する。この設定は、情報提示システム１を利用する前に行われる。
第１ステップＳ１で、スマートフォン２１は、人の操作により、情報提示アプリケーションをインストールする。そうすると、第２ステップＳ２で、スマートフォン２１は、情報提示アプリケーションの識別情報（以下、アプリ識別情報ＡＩＤ）と、スマートフォン２１に設定されている言語情報とを情報管理装置５に送信する。アプリ識別情報ＡＩＤとは、情報提示アプリケーションを特定するための情報である。情報管理装置５は、スマートフォン２１からの情報提供を受けて、当該スマートフォン２１に対応する端末用テーブルを選択し、選択した端末用テーブルを当該スマートフォン２１に送る。第３ステップＳ３で、スマートフォン２１は、情報管理装置５から端末用テーブルを受信する。以上により、スマートフォン２１は、識別情報ＩＤに関連する関連情報を提示できる状態になる。
【００５４】
図８を参照して、サイネージ２３の設定処理（初期設定）について説明する。この設定は、情報提示システム１を利用する前に行われる。
第１ステップＳ１１で、人の操作により、サイネージ２３に店舗情報の設定を行う。例えば、店舗情報とは、サイネージ２３の設置場所に関する情報である。例えば、店舗情報の例として、駅ビル、駅のホーム、学校、工場、観光施設等が挙げられる。
【００５５】
第２ステップＳ１２で、サイネージ２３は、アプリ識別情報ＡＩＤと、店舗情報と、サイネージ２３の詳細設定情報とを情報管理装置５に送信する。サイネージ２３の詳細設定情報とは、サイネージ２３の表示画面の大きさ等を示す情報である。
【００５６】
情報管理装置５は、サイネージ２３からの情報提供を受けて、当該サイネージ２３に対応する端末用テーブルを選択し、選択した端末用テーブルを当該サイネージ２３に送る。第３ステップＳ１３で、サイネージ２３は、情報管理装置５から端末用テーブルを受信する。以上により、サイネージ２３は、識別情報ＩＤに関連する関連情報を提示できる状態になる。
【００５７】
図９を参照して、スマートフォン２１が実行する情報取得処理について説明する。
災害や緊急事態が発生して、アナウンスが放送されるとき、情報提示アプリケーションが人の操作で起動される。そうすると、スマートフォン２１は、放送音から識別情報ＩＤを取得できる状態になる。以下のフローは、スマートフォン２１の起動後における処理である。
【００５８】
第１ステップＳ２１で、スマートフォン２１は、マイク２２で、放送音を受信し、識別情報ＩＤを抽出する。第２ステップＳ２２で、端末用テーブルから識別情報ＩＤに対応する関連情報を表示する。識別情報ＩＤが「００２」であるときは、「地震」を表示するとともに、「地震」に関するＵＲＬを表示する。
【００５９】
第３ステップＳ２３で、スマートフォン２１は、ＵＲＬのクリックを受け付ける。
スマートフォン２１は、ＵＲＬのクリックを受け付けるとき、第４ステップＳ２４で、ＵＲＬに移行する。例えば、ＵＲＬのサイトは、全国各地の地震情報を表示する。
【００６０】
図１０を参照して、サイネージ２３が実行する情報取得処理について説明する。サイネージ２３では、常時、情報提示アプリケーションが動作している。情報取得処理は、所定周期で実行される。情報取得処理は、情報提示アプリケーションの処理の一つである。第１ステップＳ３１において、サイネージ２３は、マイク２４で、放送音を受信し、識別情報ＩＤを抽出する。サイネージ２３は、識別情報ＩＤを抽出すると、第２ステップＳ３２に移行する。サイネージ２３は、第２ステップＳ３２において、端末用テーブルを参照し、識別情報ＩＤに対応する情報を表示する。
【００６１】
以上の情報提示システム１によれば、複数の端末装置３で災害情報をさまざまな人に提供できる。複数の端末装置３それぞれで情報が異なるため、それぞれの人によってカスタマイズされた、多様な情報を得ることが出来る。サイネージ２３には、情報が複数の言語で提示されるため、所定の国の人だけでなく、当該言語が理解できる国の人にも情報を伝えることが出来る。識別情報ＩＤに関連する関連情報は予め端末装置３に記憶されているため、翻訳処理を行うことなく簡単な情報を伝達できる。
【００６２】
＜第３実施形態＞
図１１〜図１３を参照して、本実施形態に係る情報提示システム１について説明する。
情報提示システム１は、サービスを人に提供するシステムである。情報提示システム１は、例えば、店舗に設置される。店舗には、スピーカー１１が配置される。これらスピーカー１１は、日常で、音楽放送やアナウンスのために用いられる。
【００６３】
情報提示システム１は、第１実施形態と同様に、放送装置２と、端末装置３とを備える。本実施形態において、第１の端末装置３Ａ及び第２の端末装置３Ｂは、個人が使うスマートフォン２１である。第１の端末装置３Ａと第２の端末装置３Ｂとは、属性が異なる。例えば、第１の端末装置３Ａは、男性が保有するものであり、第１の端末装置３Ａには、男性が使用していることを示す情報を記憶する。第２の端末装置３Ｂは、女性が保有するものであり、第２の端末装置３Ｂは、女性が使用していることを示す情報を記憶する。各端末装置３Ａ，３Ｂは、情報管理装置５に属性に関する情報を送信することにより、属性に対応する端末用テーブル（図１３参照）を取得する。
【００６４】
放送装置２は、放送音形成装置１０と、放送音形成装置１０に接続されるスピーカー１１とを備える。スピーカー１１は、放送音形成装置１０から出力される信号を放送音として出力する。スピーカー１１は、店舗の天井、壁等に設置される。放送音形成装置１０の構造は、第１実施形態に示された放送音形成装置１０に準ずる。
【００６５】
図１１に示されるように、識別情報ＩＤは、サービスの種類情報ＩＣに関連付されている。例えば、店舗Ａのサービスについて、「０１０」が設定され、店舗Ａとは別の店舗Ｂのサービスについて、「０２０」が設定される。なお、１つの店舗が複数のサービスを提供する場合、各サービスに識別情報ＩＤが設定される。サービスとは、例えば、割引等を示すポイントの付与である。
【００６６】
端末装置３は、識別情報ＩＤに関連する関連情報を取得ときに参照する端末用テーブル（図１３参照）を記憶する。端末用テーブルは、端末装置３の属性で異なる。実施形態では、属性が異なるスマートフォン２１毎に端末用テーブルが用意されている。なお、本実施形態では、属性が異なるスマートフォン２１は、異なる端末装置３として扱われる。
【００６７】
図１２は、端末装置３と端末用テーブルとを関連付けする管理テーブルである。端末装置３の属性毎に、端末用テーブルが用意される。例えば、図１２に示されるように、店舗Ａサービス１について、属性が男性のスマートフォン２１に、男性用テーブルＣ１が設定され、属性が女性のスマートフォン２１に、女性用テーブルＣ２が設定される。このような管理テーブルは情報管理装置５で管理される。情報管理装置５は、端末装置３からのアクセスがあるとき、当該端末装置３の属性に対応する端末用テーブルを当該端末装置３に提供する。
【００６８】
図１３は、属性が男性のスマートフォン２１が有する端末用テーブルの一例である。この例では、スマートフォン２１が、識別情報ＩＤとして「００２」を抽出すると、スマートフォン２１の表示画面には、「男性用、ポイントサービス２」と表示されるとともに、関連リンク先が表示される。これにより、スマートフォン２１のユーザーは、放送音の受信により、割引のポイントを稼ぐことができる。
【００６９】
以下に、情報提示システム１の利用例を説明する。店舗Ａには、識別情報ＩＤを含む放送音が流れている。スマートフォン２１を持って男の人が店舗Ａに訪れ、情報取得アプリケーションを動作させると、スマートフォン２１は、放送音の受信し、識別情報ＩＤを得る。スマートフォン２１は、男性用テーブルＣ１を参照して、識別情報ＩＤに関連する関連情報を提示する。男の人は、スマートフォン２１に示された関連情報を店員に見せることにより、所定のサービス（例えば、ポイントの授与）を受けることができる。女の人が店舗Ａに訪れた場合も同様に、スマートフォン２１には、識別情報ＩＤに関連する関連情報が提示される。男の人と女の人とでは、スマートフォン２１に提示される関連情報が異なるため、店舗から受けるサービスが異なる。
【００７０】
以上の情報提示システム１によれば、スマートフォン２１の属性毎に異なる情報を提示できる。このため、端末装置３に応じた情報が可能となる。例えば、本実施形態のように、男女別に異なるサービスを提供できる。
【００７１】
本実施形態では、スマートフォン２１の属性は「性別」であるが、属性はこれに限定されない。例えば、国、住所、年齢等であってもよい。属性が年齢である場合、年齢毎に、識別情報ＩＤと関連情報とを関係付けるテーブルが設けられる。
【００７２】
＜その他の実施形態＞
上記各実施形態は、以下のように変更して実施することができる。本実施形態及び以下の変更例は、技術的に矛盾しない範囲で互いに組み合わせて実施することができる。
【００７３】
・端末用テーブルは、端末装置３の機能、用途、属性等によって、異なる。上述のように、用途が異なる端末装置３（スマートフォン２１とサイネージ２３）とでは、異なる端末用テーブルがインストールされる。また、上述のように、男女別で、スマートフォン２１には、異なる端末用テーブルがインストールされる。また、同種の端末装置３であっても、端末装置３それぞれにおいてバージョンまたは機能が異なる情報提示アプリケーションがインストールされている場合がある。この場合、端末装置３には、情報提示アプリケーションのタイプに対応する端末用テーブルがインストールされるため、端末装置３毎に、端末用テーブルが異なるようになる。
【００７４】
また、同種のスマートフォン２１が団体内の人に使用させる場合がある。この場合において、団体を纏める管理者と、団体に属する人とでは、異なる情報を提供することが好ましい場合がある。このような場合、スマートフォン２１に団体名と管理者であるか否かの情報とが登録される。そして、団体に属する人のスマートフォン２１と、団体に属しかつ団体を管理する管理者のスマートフォン２１とでは、異なる端末用テーブルが提供され得る。例えば、管理者の端末用テーブル（災害に関するテーブル）には、災害の種類（例えば、地震）とともに災害時の団体の危機管理方法等の情報を示すＵＲＬが関連情報として識別情報ＩＤに関連付けられる。
【００７５】
・図１４に示されるように、放送装置２は、ネット（例えば、インターネット４）を介して繋がる複数の機器により構成され得る。例えば、スピーカー１１及び放送音形成装置１０は、インターネット４を介して接続される。放送音形成装置１０は、インターネット４を介して所定のスピーカー１１に放送音の元の音声信号を出力する。また、放送音形成装置１０は、災害等が生じたときに、識別情報ＩＤが埋め込まれた音声信号を、インターネット４を介してスピーカー１１に送信する。このような構成によっても、各実施形態に準じた効果が得られる。
【００７６】
・図１５に示されるように、放送装置２は、有線または無線でラジオを受信し、ラジオ番組を放送するものであってもよい。例えば、放送装置２は、放送音形成装置１０と、スピーカー１１と、無線放送を受信するアンテナ１３と、を有し、かつ、インターネット４に繋がる。放送装置２は、インターネット４を介して指令装置１４から出される指示により、ラジオ番組の音声信号に識別情報ＩＤを埋め込む。これにより、ラジオ番組の放送によって、人または物に識別情報ＩＤを受信させることができる。このような構成によっても、各実施形態に準じた効果が得られる。テレビ番組の放送でも同様である。
【００７７】
・放送装置２は、防災無線システムを含むように構成され得る。また、防災無線システムに、上記放送装置２を接続してもよい。放送音は、防災無線システムに繋がるスピーカー１１から放送される。この構成によれば、防災無線システムを介して複数の端末装置３に識別情報ＩＤを伝達できる。
【００７８】
例えば、防災無線システムで使われる放送装置２は、無線信号を受信する屋外拡声子局、避難場所、等に設置される。放送装置２は、防災無線システムの親局から無線信号を受信して、無線信号から音声信号を形成し、音声信号に識別情報ＩＤを埋め込む。識別情報ＩＤは、放送音の帯域幅内に埋め込まれる。防災無線システムおける放送音の帯域幅は、５０〜７０００Ｈｚであるため、識別情報ＩＤは、放送音において５０〜７０００Ｈｚの範囲に識別情報ＩＤの一部または全部が埋め込まれる。なお、無線の符号化方式は、幾つかあり、方式によって、音声帯域が変更され得る。識別情報ＩＤは、各種方式における放送音の帯域幅内に埋め込まれ得る。
【００７９】
・放送装置２は、テレビ又はラジオ等の放送受信機を含むように構成され得る。放送音は、放送受信機に備わるスピーカー１１から放送される。この構成によれば、放送受信機を介して複数の端末装置３に識別情報ＩＤを伝達できる。
【００８０】
放送装置２は、緊急告知ラジオ（「防災ラジオ」ともいう）として構成され得る。緊急告知ラジオは、災害時にコミュニティＦＭ放送を通じて、緊急放送を受信して、自動的に起動し緊急情報をスピーカーから放送する。識別情報ＩＤは、繰り返し放送される緊急放送の音声帯域幅内に埋め込まれる。ＦＭ放送音の帯域幅は、５０〜１５ＫＨｚであるため、識別情報ＩＤは、放送音において５０〜１５ＫＨｚの範囲に埋め込まれる。
【００８１】
・また、放送装置２は、次のように構成され得る。放送装置２は、電話回線により情報（例えば、災害情報）を受信して、受信した音声信号に識別情報ＩＤを埋め込む。識別情報ＩＤは、放送音の帯域幅内に埋め込まれる。電話回線の帯域幅は、３００〜３４００Ｈｚであるため、識別情報ＩＤは、放送音において３００〜３４００Ｈｚの範囲に埋め込まれる。
【符号の説明】
【００８２】
ＡＩＤ…情報提示アプリケーションの識別情報、ＩＣ…種類情報、ＩＤ…識別情報、１…情報提示システム、２…放送装置、３…端末装置、３Ａ…第１の端末装置、３Ｂ…第２の端末装置、４…インターネット、５…情報管理装置、６…マイク、１０…放送音形成装置、１１…スピーカー、１２…マイク、１３…アンテナ、１４…指令装置、２１…スマートフォン、２２…マイク、２３…サイネージ、２４…マイク。
【図１】
2019129522.tif 000003
【図２】
2019129522.tif 000004
【図３】
2019129522.tif 000005
【図４】
2019129522.tif 000006
【図５】
2019129522.tif 000007
【図６】
2019129522.tif 000008
【図７】
2019129522.tif 000009
【図８】
2019129522.tif 000010
【図９】
2019129522.tif 000011
【図１０】
2019129522.tif 000012
【図１１】
2019129522.tif 000013
【図１２】
2019129522.tif 000014
【図１３】
2019129522.tif 000015
【図１４】
2019129522.tif 000016
【図１５】
2019129522.tif 000017